(57)【要約】本発明は、包括的には、インターリーバ、及び効果的に競合する設計目標を扱いながら、後方互換性のニーズを満たすインターリーブ方法を提供することにある。本発明の一態様によれば、データは、受信アンテナの期待数よりも多い数の送信アンテナを用いて送信される。少なくとも一対の送信アンテナを構成し（ant1，ant_N）、複数の第２のデータストリーム（３１１，３１２）が第１のデータストリームから形成され、前記第１のデータストリームの連続ビットは、前記第２のデータストリームの異なるデータストリームに割り当てられる。前記第２のデータストリームの複数のそれぞれのデータストリームのブロックインターリーブ処理（３１３，３１４）を個別に行う。連続した送信期間中に、一対の送信アンテナを用いて前記第２のデータストリームの異なるデータストリームから取り出される一対のデータシンボルを同等に転換した当該対のデータシンボルが後に続くように送信する。
2009510964.tif 000002
【特許請求の範囲】
【請求項１】
受信アンテナの期待数より多い数の送信アンテナを用いてデータを送信する方法であって、
一群の送信アンテナを構成するステップと、
第１のデータストリームから、前記送信アンテナの各々用の第２のデータストリームを含み、前記第１のデータストリームの連続ビットが前記第２のデータストリームの異なるデータストリームに割り当てられている、複数の第２のデータストリームを形成するステップと、
前記第２のデータストリームの複数のそれぞれのデータストリームのブロックインターリーブ処理を個別に行うステップと、
特定の送信期間中に、前記送信アンテナに対してトーン・インターリーブ処理を行うステップとを含み、
ＯＦＤＭシンボルの各トーンについて、当該トーンが前記一群の送信アンテナのうちただ１つの送信アンテナ用にはゼロではなく、前記一群の送信アンテナのうち他のアンテナ用にはゼロとするようにした、データ送信方法。
【請求項２】
送信前に、前記ＯＦＤＭシンボルのスペース・タイム・ブロック符号化を行うステップを含む、請求項１に記載のデータ送信方法。
【請求項３】
受信アンテナの期待数より多い数の送信アンテナを用いてデータを送信する送信機であって、
一群の送信アンテナを構成する手段と、
第１のデータストリームから、前記送信アンテナの各々用の第２のデータストリームを含み、前記第１のデータストリームの連続ビットが前記第２のデータストリームの異なるデータストリームに割り当てられている、複数の第２のデータストリームを形成する手段と、
前記第２のデータストリームの複数のそれぞれのデータストリームのブロックインターリーブ処理を個別に行う手段と、
特定の送信期間中に、前記送信アンテナに対してトーン・インターリーブ処理を行う手段とを含み、
ＯＦＤＭシンボルの各トーンについて、当該トーンが前記一群の送信アンテナのうちただ１つの送信アンテナ用にはゼロではなく、前記一群の送信アンテナのうち他のアンテナ用にはゼロとするようにした、送信機。
【請求項４】
送信前に、前記ＯＦＤＭシンボルのスペース・タイム・ブロック符号化を行うステップを含む、請求項３に記載の送信機。
【請求項５】
受信アンテナの期待数より多い数の送信アンテナを用いてデータを送信する方法であって、
第１のデータストリームから、前記第１のデータストリームの連続ビットが前記第２のデータストリームの異なるデータストリームに割り当てられている、複数の第２のデータストリームを形成するステップと、
前記第２のデータストリームの複数のそれぞれのデータストリームのブロックインターリーブ処理を個別に行うステップと、
前記第２のデータストリームのそれぞれのデータストリームから、シンボルを形成するステップと、
連続する送信期間中に、ＯＦＤＭシンボルの周波数ビンの範囲内で、前記第２のデータストリームの異なるデータストリームから取り出された周波数ビンの情報を１つの送信アンテナから同等に転換した周波数ビンの情報が後に続くように送信することによって、前記ＯＦＤＭシンボルの周波数ビンの情報を再構成するステップとを含むデータ送信方法。
【請求項６】
前記第１のデータストリームを符号化するステップを含む、請求項５に記載のデータ送信方法。
【請求項７】
受信アンテナの期待数より多い数の送信アンテナを用いたデータ送信機であって、
少なくとも一対の送信アンテナを構成し、
第１のデータストリームから、前記第１のデータストリームの連続ビットが第２のデータストリームの異なるデータストリームに割り当てられている、複数の第２のデータストリームを形成する手段と、
前記第２のデータストリームの複数のそれぞれのデータストリームのブロックインターリーブ処理を個別に行う手段と、
前記第２のデータストリームのそれぞれのデータストリームから、シンボルを形成する手段と、
ＯＦＤＭシンボルを形成する手段とを備え、
連続する送信期間中に、一対の送信アンテナが、前記第２のデータストリームの異なるデータストリームから取り出されたＯＦＤＭシンボルを同等に転換したＯＦＤＭシンボルが後に続くように送信するようにした、データ送信機。
【請求項８】
前記第１のデータストリームを符号化する手段を備える、請求項７に記載のデータ送信機。
【請求項９】
各ＯＦＤＭシンボルについて、ＯＦＤＭシンボル用の周波数ビンの情報が、前記第２のデータストリームのうち単一のデータストリームから取り出される、請求項５に記載のデータ送信方法。
【請求項１０】
前記ＯＦＤＭシンボルの少なくとも幾つかについて、特定のＯＦＤＭシンボル用の周波数ビンの情報が、２より大きい偶数個の前記第２のデータストリームから取り出される、請求項５に記載のデータ送信方法。
【発明の詳細な説明】
【技術分野】
【０００１】
本発明は、無線ディジタル通信に関する。
【背景技術】
【０００２】
図１に、典型的な８０２．１１ａ／ｇの送信機のブロック図を示す。このような送信機は、シングル・インプット・シングル・アウト（ＳＩＳＯ）方式である。伝送すべきビットは、前方誤り訂正（ＦＥＣ）エンコーダ１０１に供給され、インターリーバ１０３がその後に続く。インターリーバ１０３の出力ビットは、シンボルマッパ１０５（例えばＱＡＭマッパ）によって信号プレーン内でグループ化されるとともにマップされ、シンボルを構成する。シンボルを一連のサブキャリア周波数（即ち、周波数ビン）にマップするとともに、一連の時間サンプルを得るように変換するＩＦＦＴ演算１０７が後に続く。巡回拡張演算１０８（ガードシンボルの付加に相当する）を施して、ＯＦＤＭシンボルを得る。次に、パルス整形１０９及びＩＱ変調１１１を施して、ＲＦ出力信号を得る。
【０００３】
典型的な８０２．１１ａ／ｇ方式は、後述するパラメータを用いて第２の順列が後に続く第１の順列で記述することができるブロックインターリーバ（例えば、ブロックインターリーバ１０３）を有している。
【０００４】
用いられるパラメータとは、以下である。
Ｎ＿ＣＢＰＳは、インターリーバのサイズであり、即ち、シンボル単位の符号化ビットの数である。
ｋは、入力ビットのインデックスである。
ｉは、第１の順列後のインデックスである。
ｊは、第２の順列後のインデックスである。
【０００５】
第１の順列及び第２の順列は、以下の通りである。
【０００６】
（第１の順列）
ｉ＝（Ｎ＿ＣＢＰＳ／１６）（ｋ  ｍｏｄ１６）＋ｆｌｏｏｒ（ｋ／１６）
尚、ｋ＝０，１，…，Ｎ＿ＣＢＰＳ−１
１６列及びＮ＿ＣＢＰＳ／１６行がある。
ビットは、行毎に書き込まれ、列毎に読み出される。
【０００７】
（第２の順列）
ｊ＝ｓ＊ｆｌｏｏｒ（ｉ／ｓ）
＋（ｉ＋Ｎ＿ＣＢＰＳ−ｆｌｏｏｒ（１６＊ｉ／Ｎ＿ＣＢＰＳ））ｍｏｄ ｓ
尚、ｉ＝０，１，…，Ｎ＿ＣＢＰＳ−１
ここに、ｓ＝ｍａｘ（Ｎ＿ＢＰＳＣ／２，１）
Ｎ＿ＣＢＰＳは、ＯＦＤＭサブキャリアにおけるシンボル単位のビットの数である。異なる列の場合、隣接ビットが如何なるシンボルでも常に同一のインデックスに対してマップされるというわけではないので、ビット・シグニフィカンス・インデックスは変わる。
【０００８】
上述の順列を、図２おけるブロック２０１及び２０３に表す。
【０００９】
８０２．１ｌａ／ｂ／ｇの無線ネットワークの市場の大成功に続いて、高スループットの無線ＬＡＮ用の規格を作成するために発足した、ワーキンググループ８０２．１１ｎが２０００３年に設立された。この提案された規格では、最大データレートが８０２．１ｌａ／ｂ／ｇと比較される範囲の２倍以上の高さ程度までいくことができる。その基本的な技法は、マルチプル・インプット・マルチプル・アウトプット（ＭＩＭＯ）と称され、本質的には、無線メディアの経路ダイバーシティを利用する複数のアンテナを用いるものである。ＭＩＭＯ方式を説明する際に、ＭｘＮは、Ｍ個の送信アンテナとＮ個の受信アンテナを意味する。
【００１０】
複数のアンテナは、スペース・タイム・ブロック符号化（ＳＴＢＣ）と称される一種の符号化を可能とするものであり、その一例はＡｌａｍｏｕｔｉ符号化である。ＳＴＢＣでは、１ブロックの情報を、複数のアンテナ（スペース）と複数のシンボルの期間（タイム）にわたって符号化して伝送する。
【００１１】
８０２．１１ｎ（ＭＩＭＯ）方式は、少なくとも８０２．１１ａ／ｇ（ＳＩＳＯ）方式と後方互換性があることが望ましい。特にインターリーブ処理に関して、競合する設計目標（例えば、コンパクト性、低消費電力及び通信のロバスト性）を扱いながら、後方互換性を達成するインターリーブ処理装置のニーズがある。
【発明の開示】
【発明が解決しようとする課題】
【００１２】
本発明は、包括的には、インターリーバ、及び効果的に競合する設計目標を扱いながら、後方互換性のニーズを満たすインターリーブ方法を提供することにある。
【課題を解決するための手段】
【００１３】
本発明の一態様によれば、データは、受信アンテナの期待数よりも多い数の送信アンテナを用いて送信される。少なくとも一対の送信アンテナを構成し、複数の第２のデータストリームが第１のデータストリームから形成され、前記第１のデータストリームの連続ビットは、前記第２のデータストリームの異なるデータストリームに割り当てられる。前記第２のデータストリームの複数のそれぞれのデータストリームのブロックインターリーブ処理は、個別に行われる。連続した送信期間中に、一対の送信アンテナを用いて前記第２のデータストリームの異なるデータストリームから取り出される一対のデータシンボルを同等に転換した当該対のデータシンボルが後に続くように送信する。本発明の別の態様によれば、データが単一アンテナ又は複数のアンテナを用いて送信される。単一アンテナを用いてデータ送信するときには、データのブロックインターリーブ処理は、送信前に第１のインターリーブ方法を用いて行われ、複数のアンテナを用いてデータを送信するときには、複数の第２のデータストリームが第１のデータストリームから形成され、前記第１のデータストリームの連続ビットは、前記第２のデータストリームの異なるデータストリームに割り当てられる。前記第２のデータストリームの複数のデータストリームのブロックインターリーブ処理は、前記第１のインターリーブ方法と実質的に同一のインターリーブ方法を用いて行われる［動作Ｃ］。本発明の別の態様によれば、データは、受信アンテナの期待数より多い数の送信アンテナを用いて送信される。一群の送信アンテナを構成し、送信アンテナの各々用の第２のデータストリームを含む複数の第２のデータストリームが、第１のデータストリームから形成され、前記第１のデータストリームの連続ビットは、第２のデータストリームの異なるデータストリームに割り当てられている。前記第２のデータストリームの複数のそれぞれのデータストリームのブロックインターリーブ処理を個別に行う。連続する送信期間中に、それぞれゼロでないシンボルは、当該複数の送信アンテナの異なる送信アンテナからの送信のために順に出力される。或る送信期間中、ゼロでないシンボルは、前記一群の送信アンテナのうちただ１つのアンテナに割り当てられ、ゼロのシンボルは、前記一群の送信アンテナのうち他のアンテナに割り当てられるようにした。
【００１４】
本発明は、図と関連して以下の説明からより明らかになる。
【発明を実施するための最良の形態】
【００１５】
以下の説明では、Ｎ個の送信アンテナのより包括的な例として、２つの送信アンテナの場合を説明する。本発明の原理は、２つの送信アンテナから２つ以上の送信アンテナに容易に拡張することができることは、当業者に明らかである。
【００１６】
８０２．１１ｎ方式の場合、複数の空間ストリームが要求される。８０２．１１ｎ方式は８０２．１１ａ／ｇ方式と後方互換性があるようにするには、８０２．１１ａ／ｇ方式のインターリーバが存在する必要がある。本発明の取り組みは、８０２．１１ａ／ｇ方式のインターリーバに基づく新たなインターリーバを作成することである。即ち、入力ビットは、２つのストリームに対して解析されるものであり、各ストリームにおいて８０２．１１ａ／ｇ方式のインターリーバを用いる。
【００１７】
ここで、図３を参照すると、ＭＩＭＯ通信の送信機のブロック図が示されている。単一の情報ストリームは、ビットパーサ３０１に供給される。送信モードに依存して、ビットパーサは、単一の情報ストリーム又は２つの別々のストリームを発生する。ＳＩＳＯモードでは、ビットパーサは、入ってくる情報ストリームをインターリーバ３１０の上側枝路３１１に向ける。インターリーバ３１０の上側枝路３１１は、図２のインターリーバと同一の構成である。即ち、ブロックインターリーバ動作３１３は、シグニフィカンス・インデックス・シャッフラ３１５が後に続く。ＭＩＭＯモードでは、ビットパーサは、入ってくる情報ストリームの代替ビットを該インターリーバの上側枝路３１１と該インターリーバの下側枝路３１２に出力し、２つの別々の情報ストリームを発生する。
【００１８】
該インターリーバの下側枝路は、該インターリーバの上側枝路と対応するブロック３１４及び３１６を含むことが好適である。更に、該インターリーバの下側枝路は、ブロック３１５ｃ（動作Ｃ）を含み、随意ブロック３１６ｂ（動作Ｂ）及びブロック３１６ａ（動作Ａ）を含むことができる。
【００１９】
隣接ビットを異なる空間ストリームでは、周波数領域で可能な限り離して分離することが好適である。これを行う簡単な方法は、複数のＮ＿ＣＢＰＳでブロック３１６の出力を周期的に回転させることである（動作Ｃ）。動作Ｃは、インターリーブしたブロックを線形バッファでバッファリングして、複数のＮ＿ＣＢＰＳで周期的な回転を実行することが考えられる。現実的なシステムモデルを使用した場合、２ｘ２且つ４０ＭＨｚのシステムでは、５７＊Ｎ＿ＣＢＰＳを周期的に回転し、即ちＯＦＤＭの５７個の周波数トーンが、或るＳＮＲに対して最低のＰＥＲ（パケット誤り率）を発生するのを示すことができる。２ｘ２且つ２０ＭＨｚのシステムでは、適切な回転は、２５＊Ｎ＿ＣＢＰＳである。動作Ｃでは、ビット・シグニフィカンス・インデックスは変更されていないことに留意する。
【００２０】
２つのストリーム間のときもビット・シグニフィカンス・インデックスを変更することが望ましい。これを行うための多くの方法がある。１つの方法は、動作２（ブロック３１６）を変更することであり、上述の第２の順列の定義を変更することによる。或いは又、現在の順列が列インデックスに従って変更するので、ビット・シグニフィカンス・インデックスを変更するには、異なる列インデックス、例えば列インデックス＋１に従って現在の順列を実行することによって達成することができる。
【００２１】
動作２の変更を避けるために（例えば、ハードウェアリソースを考慮した場合である）、回路内の様々な位置で、例えばビットパーサ３０１又は動作Ａ又は動作Ｂで同等の効果を達成することができる。例えば、動作Ｂを実現する１つの簡単な方法は、第２のビットストリームのシンボルに属するビットを、例えば１だけ周期的に回転することである。第３のビットストリームの場合では、シンボルに属するビットは、例えば２だけ周期的に回転することになる。
【００２２】
例えば、動作Ａは，異なるシグニフィカンス・インデックスのシャッフルを達成するように構成された別のインターリーバの形式をとることもできる。動作Ａを解析ブロックであるビットパーサ３０１と組み合わせることも潜在的に可能である。
【００２３】
異なるシグニフィカンス・インデックスのシャッフルを動作Ｃの一部として行うこともできる（即ち、既に演算が為されたものを処理して周波数選択を達成する）。これを行う簡単な方法は、第２のビットストリームにおける１つ以上のビット（尚、第３のビットストリームにおいては２つ以上のビット）をシフトすることである。
【００２４】
ＭＩＭＯ−ＯＦＤＭ方式において送信アンテナが受信アンテナより数が多いとき、データストリームの数は、送信アンテナの数より少なくする必要がある。しかしながら、追加の送信アンテナは、追加の空間ダイバーシティを提供して、更にシステム性能を改善することができることは知られている。これを行う１つの方法は、他のアンテナの信号から周期的に遅延させた信号を用いる空間拡散を用いることである。
【００２５】
其れを行う他の別の方法は、図４に示す２つのアンテナにトーン・インターリーブ処理信号を用いることである。図４では、ブロック４０１、４０３及び４０５は、包括的にブロック１０１、１０３及び１０５に対応する。ブロック４０７は、トーン・インターリーブ処理を以下のように行う。
【００２６】
周波数領域で、
ant1=［a1，0，a3，0，…］
ant2=［0，a2，0，a4，…］
【００２７】
即ち、一対のアンテナを構成し、特定のシンボル期間中、一対のアンテナのうちの一方のアンテナを介して送信したＯＦＤＭシンボルの範囲内で半分のトーンを使用して、もう半分のトーンを未使用とする。他方のアンテナの場合には、特定のトーンの使用又は未使用を逆にする。この簡単なトーン・インターリーブ処理は、この簡単な別のスキームの結果として、ＯＦＤＭ信号の周波数ダイバーシティを完全に利用するものではない。
【００２８】
図５を参照するに、Ｎ個のアンテナがあることを想定しているが、１つのストリームのみが許容されている。単一の情報ストリームがＦＥＣエンコーダ５０１に供給され、その後にビットパーサ５０３が続く。ビットパーサは、入ってくる情報ストリームのビットを順に枝路５１０ａ、・・・、５１０ｎにおける異なるビットに出力する。各枝路は、インターリーバ５１１を有し、その後にビット・ツー・シンボルマッパ５１３及びトーン・インターリーブ処理ブロック５１５が続く。周波数ダイバーシティは以下のように活用される。
【００２９】
ant_1＝［a1，0， ．．．，a_N+1，0， ．．．］
ant_2＝［0，a2，0， ．．．0，a_N+2，0， ．．．］
....
ant_N＝［0， ．．．0，a_N-1，0，a_N+N，0， ．．．］
【００３０】
インターリーバの深さは、レイテンシ要求を満たすように調整することができる。
【００３１】
図６を参照すると、同一構造をＳＴＢＣに適用でき、ＳＴＢＣ（ブロック６１７）は、トーン・インターリーブ処理の後に適用される。
【００３２】
２ｘ１システムの場合、ＳＴＢＣの特定の変形例は、Ａｌａｍｏｕｔｉ符号化である。Ａｌａｍｏｕｔｉ符号化は、２つの隣接シンボルを同期伝送用の２つの送信アンテナにマップする。Ａｌａｍｏｕｔｉ符号化（ＡＣ）の利点を完全に生かすために、インターリーバは、通常ＡＣの前に利用される。図７を参照するに、送信されるべきデータはＦＥＣエンコーダ７０１に供給され、その後に順にインターリーバ７０３、ＱＡＭマッパ７０５及びシンボルパーサ７０７が続く。シンボルパーサは、ＡＣブロック７０９に供給する複数のシンボルストリームを発生する。
【００３３】
ＯＦＤＭ方式の場合に、図８に示すように、各枝路用にＩＦＦＴ８０６が、ＡＣブロック８０９の後に加えられる。
【００３４】
４ｘ１システムの場合、Ａｌａｍｏｕｔｉ符号化は、４ｘ１のスペース・タイム・ブロック符号（ＳＴＢＣ）へと一般化される。現在の一般化したスキームは、以下の通りである。
【００３５】
s1(k)  −s2*(k)の繰り返し
s2(k)    s1*(k)の繰り返し
s3(k)  −s4*(k)の繰り返し
s4(k)    s3*(k)の繰り返し
【００３６】
各ラインは、２つの連続シンボル期間中の特定のアンテナで送信されるシンボルを表す。特に、２つの連続シンボル期間の第１の期間中、異なるシンボルがアンテナ１〜４で送信される。次の連続シンボル期間中、同等であるが転換したシンボルが送信される。従って、アンテナ２で送信されたシンボルの負の共役は、アンテナ１で送信され、アンテナ１で送信されたシンボルの共役は、アンテナ２で送信される。この指示パターンは繰り返される（即ち、アンテナ１の場合、s1(k+1)，−S2*(k+1)）。
【００３７】
近接近の符号化ビットは、ＯＦＤＭを適用するときに、時間領域及び周波数領域に可能な限り離して分離するべきである。この目標に達するインターリーバを設計することは可能ではあるが、既存のインターリーバを有するシステムをアップグレードすることは不可能である。また、Ｍ＞２であるＭｘ１システムの場合、既存の繰り返しスキームは、空間ダイバーシティの種々の変形例を完全には利用していない。
【００３８】
空間ダイバーシティの種々の変形例を良好に利用するために、個別にインターリーブした複数の情報ストリームを構成する。図９を参照して、ブロック９０１、９０３、９１１ａ、９１１ｂ、９１３ａ及び９１３ｂは、包括的には、ブロック５０１、５０３、５１１ａ、５１１ｂ、５１３ａ及び５１３ｂに対応する。ＡＣブロック９１５は、結果として生じるストリーム（個別にインターリーブされている。）を受信し、既知の方法でＡｌａｍｏｕｔｉ符号化を施す。この構成を、個別インターリーブ化したＡｌａｍｏｕｔｉ符号化（Ｉ２ＡＣ）と称することにする。
【００３９】
ＯＦＤＭ方式では、図１０に示すように、各枝路にとって、ＩＦＦＴ１００６がＡＣブロックの後に加えられる。
【００４０】
Ｍ＞２である場合、空間的回転をＩ２ＡＣの処理に適用することができる。例えば、４ｘ２の場合では、４つのストリームが解析されるビットとなる。各ストリームは、個別にインターリーブされ、ＱＡＭシンボルにマップされる。次に、ＡＣ符号化を、以下のように行う。
【００４１】
s1(k)  −s2*(k)    s1(k+1)  −s3*(k+1)    s1(k+2)  −s4*(k+2)
s2(k)    s1*(k)    s2(k+1)  −s4*(k+1)    s2(k+2)  −s3*(k+2)
s3(k)  −s4*(k)    s3(k+1)    s1*(k+1)    s3(k+2)    s2*(k+2)
s4(k)    s3*(k)    s4(k+1)    s2*(k+1)    s4(k+2)    s1*(k+2)
【００４２】
それ故、ストリームは、４つのアンテナにわたって対をなしてＳＴＢＣ化される（３つの対が可能であり、（１，２），（３，４））、（（１，３），（２，４））、（（１，４），（２，３）））。これは、以下に説明する２つの方法（オプション）で行うことができる。
【００４３】
（オプション１）
Ａｌａｍｏｕｔｉ符号化は、６つ以上の連続したＯＦＤＭシンボルで次のように行うことができる。まず、２つのＯＦＤＭシンボルは、全ての周波数で組み合わせ（１，２），（３，４）を用い、次に、２つのＯＦＤＭシンボルは、全ての周波数で組み合わせ（１，３），（２，４）を用い、最後に、２つのＯＦＤＭシンボルは、全ての周波数で組み合わせ（１，４），（２，３）を用いる。次に、そのパターンを次の６つのＯＦＤＭシンボルに対して繰り返す。これを行うことの欠点は、各周波数用のチャンネルマトリックスが、時間で変化することである。
【００４４】
i番目のＯＦＤＭブロックのj番目のデータシンボルを、aij、bij、cij及びdijとし、４つのストリームをａ、ｂ、ｃ及びｄで示す。各ＯＦＤＭブロックがＮ個のデータブロックを有するものとする。角括弧の間の一組のシンボルは、１つのＯＦＤＭシンボルである。ＡＣブロックによって行われる動作は、以下のように表すことができる。
【００４５】
【数１】
2009510964.tif 000003
【００４６】
（オプション２）
Ａｌａｍｏｕｔｉ符号化は、２つのＯＦＤＭシンボルで次のように行うことができる。まず、第１の周波数ビンは、組み合わせ（１，２），（３，４）を用い、第２の周波数ビンは、組み合わせ（１，３），（２，４）を用い、第３の周波数ビンは、組み合わせ（１，４），（２，３）を用いる。次に、そのパターンを繰り返す。従って、このＡｌａｍｏｕｔｉ符号化は、各周波数ビン用に異なるアンテナからのシンボルを用いる。しかしながら、各周波数ビン用のチャンネルマトリックスは、時間で変化しない。
【００４７】
【数２】
2009510964.tif 000004
【００４８】
同一の原理は、如何なる２ｐｘｐのＳＴＢＣシステムにも適用可能である。
【００４９】
本発明は、その趣旨又は不可欠の構成要素から逸脱することなく、他の特定の態様で実現することができることは当業者に明らかである。従って、図を参照して説明した実施例は全ての態様において図示するために用いたものであり、制限することを意図するものではない。本発明の範囲は、上述の説明よりも特許請求の範囲によって指示されており、本発明の等価の趣旨及び範囲内でもたらされる全ての変更は、本発明に含まれることを意図している。
【図面の簡単な説明】
【００５０】
【図１】既知のＳＩＳＯ通信用送信部のブロック図である。
【図２】図１のインターリーバのより詳細なブロック図である。
【図３】ＭＩＭＯ通信用送信部の一部のブロック図である。
【図４】２つのアンテナ用のトーン・インターリーブ処理信号を用いる通信用送信機の一部のブロック図である。
【図５】本発明の一態様による２つのアンテナ用のトーン・インターリーブ処理信号を用いる通信用送信機の一部のブロック図である。
【図６】本発明の別の態様による２つのアンテナ用のトーン・インターリーブ処理信号を用いる通信用送信機の一部のブロック図である。
【図７】Ａｌａｍｏｕｔｉ符号化を用いる通信用送信機の一部のブロック図である。
【図８】ＯＦＤＭ及びＡｌａｍｏｕｔｉ符号化を用いる通信用送信機の一部のブロック図である。
【図９】本発明の一態様によるＡｌａｍｏｕｔｉ符号化を用いる通信用送信機の一部のブロック図である。
【図１０】本発明の一態様によるＯＦＤＭ及びＡｌａｍｏｕｔｉ符号化を用いる通信用送信機の一部のブロック図である。
【図１】
2009510964.tif 000005
【図２】
2009510964.tif 000006
【図３】
2009510964.tif 000007
【図４】
2009510964.tif 000008
【図５】
2009510964.tif 000009
【図６】
2009510964.tif 000010
【図７】
2009510964.tif 000011
【図８】
2009510964.tif 000012
【図９】
2009510964.tif 000013
【図１０】
2009510964.tif 000014
【国際調査報告】
2009510964.tif 000015
2009510964.tif 000016